(57)【要約】【課題】雨水、害虫、塵芥、粉雪などの浸入に対して効果を発揮することができるとともに、充分な通気性を確保することができる換気棟構造を提供する。【課題手段】屋根野地板１の棟頂部の開口部１０に面した両側の棟頂辺部に、それぞれ下水切り３、上水切り４および多孔体２を設け、その上方から棟包み部材５を設けた換気棟構造であって、多孔体２は、多孔断面で各孔が長い筒状の多孔板状に形成され、各孔の連通方向が棟の勾配方向に沿って設けられ、棟外側の端面が水平にカットされ、棟頂辺部と多孔体２との間の下水切り３は、棟内頂部側の延設先端側には、上方へ屈曲されて多孔体２の各孔の連通方向からみた投影面を覆う返し部３１が形成され、多孔体２と棟包み部材５との間の上水切り４は、棟内頂部側の延設先端側には、棟外から多孔体２を通って棟内へと浸入した雨水飛沫を止めて上記下水切り３上へと滴下させる返し部４１が形成されている。【選択図】  図２
2006316447.tif 000002
【特許請求の範囲】
【請求項１】
屋根野地板の棟頂部に開口部が設けられ、この開口部に面した両側の棟頂辺部に、それぞれ水切りおよび多孔体が設けられ、その上方から開口部を塞ぐ棟包み部材が設けられてなる換気棟構造であって、
多孔体は、多孔断面で各孔が長い筒状となされた多孔板状に形成されてなり、各孔の連通方向が棟の勾配方向に沿うようにして設けられるとともに、棟外側の端面が水平となるようにカットされ、
水切りは、棟頂辺部と多孔体との間、および多孔体と棟包み部材との間にそれぞれ設けられ、
棟頂辺部と多孔体との間に設けられる下水切りは、棟内頂部側へと延設されるとともに、その延設先端側には、上方へ屈曲されて多孔体の各孔の連通方向からみた投影面を覆う返し部が形成され、
多孔体と棟包み部材との間に設けられる上水切りは、棟内頂部側へと延設されるとともに、その延設先端側には、棟外から多孔体を通って棟内へと浸入した雨水飛沫を止めて上記下水切り上へと滴下させる返し部が形成されてなることを特徴とする換気棟構造。
【請求項２】
下水切りの返し部の先端に、吸湿材が設けられてなる請求項１記載の換気棟構造。
【発明の詳細な説明】
【技術分野】
【０００１】
本発明は、屋根裏の自然換気を可能にする換気棟構造に関するものである。
【背景技術】
【０００２】
一般に、住宅建物には、屋根裏の自然換気を可能にする換気棟構造が採用されている。この換気棟構造は、屋根野地板の棟部開口に棟包み部材を設けて構成していた。
【０００３】
従来より、このような換気棟構造では、単に換気を行うだけでなく、害虫、塵芥、粉雪などの浸入を防止しながら自然換気を可能にしなければならない。そこで、このような害虫、塵芥、雪などの浸入を防止しながら自然換気を可能にする換気棟構造として、棟部開口と棟包み部材との間に、水きりを組み合わせて設けたり、水切りと多孔体とを組み合わせて設けたりすることが行われている（特許文献１ないし３参照）。
【特許文献１】特開平１１−６２１４０号公報
【特許文献２】特開平９−１４４２５６号公報
【特許文献３】特開平７−１０９７９７号公報
【発明の開示】
【発明が解決しようとする課題】
【０００４】
しかし、上記従来の水切りを組み合わせた換気棟構造の場合、雨水の浸入に対しては効果的であるが、害虫、塵芥、粉雪などの浸入を抑えることが困難である。
【０００５】
また、上記従来の水切りと多孔体とを組み合わせた換気棟構造の場合、害虫、塵芥、粉雪などの浸入に対しては多孔体が効果的に作用する。しかし、通気性や雨水の浸入に対しては用いる多孔体の種類によって次のような不都合を生じることとなる。
【０００６】
すなわち、特許文献１に示す網目状の多孔体や、特許文献３に示す多孔質マット状の多孔体の場合、通気抵抗が大きいことに加えて、塵芥などが多孔体に目詰まりを起こしやすいため、この塵芥が雨水などによってさらに多孔体に固まった状態となり、通気性が阻害されることとなる。
【０００７】
また、特許文献２に示すハニカムコア断面の板状に形成された多孔体の場合、通気抵抗は大きくならないが、強風を伴った雨水は、多孔体に設けられた複数の筒状の孔から勢いを増して内部に吹き付けられることとなる。そのため、雨水の飛沫として浸入することとなる。
【０００８】
本発明は係る実情に鑑みてなされたものであって、雨水、害虫、塵芥、粉雪などの浸入に対して効果を発揮することができるとともに、充分な通気性を確保することができる換気棟構造を提供することを目的としている。
【課題を解決するための手段】
【０００９】
上記課題を解決するための本発明の換気棟構造は、屋根野地板の棟頂部に開口部が設けられ、この開口部に面した両側の棟頂辺部に、それぞれ水切りおよび多孔体が設けられ、その上方から開口部を塞ぐ棟包み部材が設けられてなる換気棟構造であって、多孔体は、多孔断面で各孔が長い筒状となされた多孔板状に形成されてなり、各孔の連通方向が棟の勾配方向に沿うようにして設けられるとともに、棟外側の端面が水平となるようにカットされ、水切りは、棟頂辺部と多孔体との間、および多孔体と棟包み部材との間にそれぞれ設けられ、棟頂辺部と多孔体との間に設けられる下水切りは、棟内頂部側へと延設されるとともに、その延設先端側には、上方へ屈曲されて多孔体の各孔の連通方向からみた投影面を覆う返し部が形成され、多孔体と棟包み部材との間に設けられる上水切りは、棟内頂部側へと延設されるとともに、その延設先端側には、棟外から多孔体を通って棟内へと浸入した雨水飛沫を止めて上記下水切り上へと滴下させる返し部が形成されてなるものである。
【００１０】
また、上記換気棟構造において、下水切りの返し部の先端に、吸湿材が設けられてなるものである。
【発明の効果】
【００１１】
以上述べたように、本発明によると、多孔体の棟外側の端面を水平となるようにカットしているので、この多孔体によって浸入が阻止された害虫、塵芥、粉雪などは、多孔体にとどまることなく自重で落下する。したがって、通気性が阻害されることなく、充分な換気性能を維持することができる。
【００１２】
また、多孔体の各孔は、長い筒状となされているので、この孔に沿った流れで棟外から棟内へと通気することとなるが、下水切りには、多孔体の各孔の連通方向からみた投影面を覆う返し部を形成しているので、強風を伴う雨水の浸入をこの返し部で止めることができる。また、この下水切りの返し部で不十分であったとしても、多孔体と棟包み部材との間に設けられる上水切りには、棟外から多孔体を通って棟内へと浸入した雨水飛沫を止めて上記下水切り上へと滴下させる返し部を形成しているので、この上水切りの返し部との併用によって、確実に雨水の浸入を防止することができる。
【発明を実施するための最良の形態】
【００１３】
以下、本発明の実施の形態を図面を参照して説明する。
【００１４】
図１は、換気棟構造の全体構成の概略を示し、図２および図３は同換気棟構造の要部断面を示している。
【００１５】
すなわち、この換気棟構造は、屋根野地板１の棟頂部に開口部１０が設けられ、この開口部１０に面した両側の棟頂辺部に、それぞれ多孔体２、下水切り３、上水切り４が設けられ、その上方から開口部１０を塞ぐ棟包み部材５が設けられて構成されている。
【００１６】
屋根野地板１は、登り梁束１２、登り梁１３、母屋１４などによって構成された躯体に固定され、棟頂部にスリット状の開口部１０を形成するようになされている。開口部１０に面した両側の棟頂辺部には、開口部１０に沿って長尺の下地木１１が設けられる。これら屋根野地板１および下地木１１の表面にはアスファルトルーフィング１５が貼設される。
【００１７】
多孔体２は、図４に示すように、長い筒状に形成された複数の孔２０を有する多孔断面で長尺の板状に形成されてなり、幅方向に沿って各孔２０が連通するようになされている。この多孔体２は、一側端面が直角にカットされ、他側端面が斜めにカットされている。この多孔体２は、各孔２０の連通方向が棟の勾配方向に沿うようにして開口部１０に面した両側の棟頂辺部に設けられた下地木１１に下水切り３を介して固定される。この際、屋根野地板１の斜めにカットされた他側端面が棟外側に位置するように施工される。また、この施工状態で、多孔体２は、他側端面が水平となるように、棟の勾配に合わせて他側端面が斜めにカットされる。この多孔体２としては、樹脂製、金属製、紙製、木製などのものを使用することができる。
【００１８】
下水切り３は、薄板鋼板を加工成形して形成されたもので、開口部１０に面した両側の棟頂辺部に沿って設けることができるように長尺に形成されている。この下水切り３の断面は、屋根野地板１から下地木１１に沿って頂部側へと延設される略階段状に屈曲形成されている。この延設先端側は、上方に屈曲されて返し部３１を形成するようになされるとともに、この返し部３１の端縁部３１ａは、屋根の下り勾配側に屈曲されている。この返し部３１は、下水切り３の上に多孔体２を設けた状態で、多孔体２の各孔２０の連通方向からみた多孔体２の投影面と同じか大きくなるように形成されている。これにより、多孔体２の各孔２０からの通気は、下水切り３の返し部３１によって確実に受けられることとなる。
【００１９】
上水切り４は、薄板鋼板を加工成形して形成されたもので、多孔体２に沿って設けることができるように長尺に形成されている。この上水切り４の断面は、多孔体２の上面に設けた状態で、多孔体２から頂部側に少しだけ突出するようになされている。この突出先端側は、下方に屈曲されて返し部４１を形成するようになされている。また、この施工状態で、上水切り４の返し部４１は、下水切り３の返し部３１よりも多孔体２に近い位置となるように構成されている。これにより、上水切り４は、棟外から多孔体２を通って棟内へと浸入した雨水飛沫を、返し部４１によって受け止めて上記下水切り３上へと滴下させることができるようになされている。
【００２０】
次に、この換気棟の施工方法について説明する。
【００２１】
まず、アスファルトルーフィング１５が貼設された屋根野地板１の上に、屋根板６を葺き、下地木１１の上に下水切り３を設ける。
【００２２】
下水切り３の上には、下地木１１に沿って多孔体２を設け、さらに多孔体２の上には上水切り４を設ける。これら、下水切り３、多孔体２、上水切り４は、現場での作業を簡略化するために、少なくとも２つの部材をあらかじめ接着一体化しておいて一挙に施工するようにしてもよい。
【００２３】
そして、開口部１０に面した両側の上水切り４をまたぐように、棟部に合致する山形に屈曲形成された帯板状の取付金具７を設ける。この取付金具７は、適宜の間隔を存して設けられ、上水切り４、多孔体２、下水切り３を貫通するビス７０によって下地木１１に固定される。
【００２４】
最後に、取付金具７の上方から開口部１０を塞ぐように、棟包み部材５を設ける。この棟包み部材５は、両端部に形成された係止片５１を、取付金具７の両端部に形成された係止片７１に係止させるようにして、この取付金具７が固定された棟部に嵌め込むことによって取り付けられる。
【００２５】
この換気棟構造によると、矢符Ａに示すような空気の流れにより、棟の内外での自然換気を行うことができる。
【００２６】
この際、空気は、多孔体２を通過するので、単に換気を行うだけでなく、害虫、塵芥、粉雪などの浸入を防止することができる。また、多孔体２は、棟の外側に面した他側端面が斜めにカットされているので、この他側端面は各孔２０の開口面積が大きく、施工状態で水平となされているので、浸入防止する際に止めた害虫、塵芥、粉雪などが目詰まりすることも無く自然落下し易い。
【００２７】
また、強風を伴った雨水などの場合、多孔体２に設けられた各孔から勢いを増して雨水が飛沫となって内部に吹きつけられることが懸念されるが、下水切り３には、多孔体２の各孔の連通方向からみた投影面を覆う返し部３１を形成しているので、これらの強風を伴う雨水の浸入を、この返し部３１で止めることができる。なお、返し部３１は、施工状態で上方に向けて屈曲されているため、多孔体２の各孔から浸入する強風を伴った雨水の流れ上方に変更するだけに過ぎないことも懸念されるが、返し部３１の端縁部３１ａを屋根の下り勾配側に屈曲しているので、強風を伴った雨水の勢いを確実に無くすことができる。
【００２８】
なお、本実施の形態では、返し部３１の端縁部３１ａを屋根の下り勾配側に屈曲しているだけとしているが、図５に示すように、この端縁部３１ａに、吸湿可能なスポンジなどの連続気泡からなる多孔質弾性体や、不織布などの吸湿部材３２を設けてもよい。この場合、返し部３１の端縁部３１ａによって強風を伴った雨水の勢いを確実に無くすことができるとともに、この吸湿部材３２によって棟部内に浸入しようとする雨水を吸湿することができる。この吸湿部材３２に吸湿された水分は、晴天時の自然換気によって勝手に乾燥されることとなる。
【産業上の利用可能性】
【００２９】
屋根裏の自然換気を可能にする換気棟構造として住宅建物に利用できる。
【図面の簡単な説明】
【００３０】
【図１】本発明に係る換気棟構造の全体構成の概略を示す断面図である。
【図２】図１の要部断面図である。
【図３】本発明に係る換気棟構造の部分分解斜視図である。
【図４】本発明に係る換気棟構造に用いられる多孔体の部分斜視図である。
【図５】本発明に係る換気棟構造の他の実施の形態を示す要部断面図である。
【符号の説明】
【００３１】
１  屋根野地板
１０  開口部
２  多孔体
３  下水切り
３１  返し部
３２  吸湿部材（吸湿材）
４  上水切り
４１  返し部
５  棟包み部材
【図１】
2006316447.tif 000003
【図２】
2006316447.tif 000004
【図３】
2006316447.tif 000005
【図４】
2006316447.tif 000006
【図５】
2006316447.tif 000007
【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
屋根野地板の棟頂部に開口部が設けられ、この開口部に面した両側の棟頂辺部に、それぞれ水切りおよび多孔体が設けられ、その上方から開口部を塞ぐ棟包み部材が設けられてなる換気棟構造であって、
多孔体は、多孔断面で各孔が長い筒状となされた多孔板状に形成されてなり、各孔の連通方向が棟の勾配方向に沿うようにして設けられるとともに、棟外側の端面が水平となるようにカットされ、
水切りは、棟頂辺部と多孔体との間、および多孔体と棟包み部材との間にそれぞれ設けられ、
棟頂辺部と多孔体との間に設けられる下水切りは、多孔体よりもさらに棟内頂部側へと延設されるとともに、その延設先端側には、上方へ屈曲されて多孔体の各孔の連通方向からみた投影面を覆うとともに、棟包み部材との間に間隙を形成する返し部が形成され、
多孔体と棟包み部材との間に設けられる上水切りは、棟内頂部側へと延設されるとともに、その延設先端側には、棟外から多孔体を通って棟内へと浸入した雨水飛沫を止めて上記下水切り上へと滴下させる返し部が、下水切りの返し部よりも多孔体に近い位置に形成されてなることを特徴とする換気棟構造。
【請求項２】
下水切りの返し部の先端に、吸湿材が設けられてなる請求項１記載の換気棟構造。
【手続補正２】
【補正対象書類名】明細書
【補正対象項目名】０００９
【補正方法】変更
【補正の内容】
【０００９】
上記課題を解決するための本発明の換気棟構造は、屋根野地板の棟頂部に開口部が設けられ、この開口部に面した両側の棟頂辺部に、それぞれ水切りおよび多孔体が設けられ、その上方から開口部を塞ぐ棟包み部材が設けられてなる換気棟構造であって、多孔体は、多孔断面で各孔が長い筒状となされた多孔板状に形成されてなり、各孔の連通方向が棟の勾配方向に沿うようにして設けられるとともに、棟外側の端面が水平となるようにカットされ、水切りは、棟頂辺部と多孔体との間、および多孔体と棟包み部材との間にそれぞれ設けられ、棟頂辺部と多孔体との間に設けられる下水切りは、多孔体よりもさらに棟内頂部側へと延設されるとともに、その延設先端側には、上方へ屈曲されて多孔体の各孔の連通方向からみた投影面を覆うとともに、棟包み部材との間に間隙を形成する返し部が形成され、多孔体と棟包み部材との間に設けられる上水切りは、棟内頂部側へと延設されるとともに、その延設先端側には、棟外から多孔体を通って棟内へと浸入した雨水飛沫を止めて上記下水切り上へと滴下させる返し部が、下水切りの返し部よりも多孔体に近い位置に形成されてなるものである。
【手続補正３】
【補正対象書類名】明細書
【補正対象項目名】００１２
【補正方法】変更
【補正の内容】
【００１２】
また、多孔体の各孔は、長い筒状となされているので、この孔に沿った流れで棟外から棟内へと通気することとなるが、下水切りには、多孔体の各孔の連通方向からみた投影面を覆うとともに、棟包み部材との間に間隙を形成する返し部を形成しているので、強風を伴う雨水の浸入をこの返し部で止めることができる。また、この下水切りの返し部で不十分であったとしても、多孔体と棟包み部材との間に設けられる上水切りには、下水切りの返し部よりも多孔体に近い位置に、棟外から多孔体を通って棟内へと浸入した雨水飛沫を止めて上記下水切り上へと滴下させる返し部を形成しているので、この上水切りの返し部との併用によって、確実に雨水の浸入を防止することができる。
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
屋根野地板の棟頂部に開口部が設けられ、この開口部に面した両側の棟頂辺部に、それぞれ水切りおよび多孔体が設けられ、その上方から開口部を塞ぐ棟包み部材が設けられてなる換気棟構造であって、
多孔体は、多孔断面で各孔が長い筒状となされた多孔板状に形成されてなり、各孔の連通方向が棟の勾配方向に沿うようにして設けられるとともに、棟外側の端面が水平となるようにカットされ、
水切りは、棟頂辺部と多孔体との間、および多孔体と棟包み部材との間にそれぞれ設けられ、
棟頂辺部と多孔体との間に設けられる下水切りは、多孔体よりもさらに棟内頂部側へと延設されるとともに、その延設先端側には、上方へ屈曲されて多孔体の各孔の連通方向からみた投影面と同じ大きさに形成されるとともに、棟包み部材との間に間隙を形成する返し部が形成され、
多孔体と棟包み部材との間に設けられる上水切りは、棟内頂部側へと延設されるとともに、その延設先端側には、棟外から多孔体を通って棟内へと浸入した雨水飛沫を止めて上記下水切り上へと滴下させる１つの返し部が、下水切りの返し部よりも多孔体に近い位置に形成されてなることを特徴とする換気棟構造。
【請求項２】
下水切りの返し部の先端に、吸湿材が設けられてなる請求項１記載の換気棟構造。
【手続補正２】
【補正対象書類名】明細書
【補正対象項目名】０００９
【補正方法】変更
【補正の内容】
【０００９】
上記課題を解決するための本発明の換気棟構造は、屋根野地板の棟頂部に開口部が設けられ、この開口部に面した両側の棟頂辺部に、それぞれ水切りおよび多孔体が設けられ、その上方から開口部を塞ぐ棟包み部材が設けられてなる換気棟構造であって、多孔体は、多孔断面で各孔が長い筒状となされた多孔板状に形成されてなり、各孔の連通方向が棟の勾配方向に沿うようにして設けられるとともに、棟外側の端面が水平となるようにカットされ、水切りは、棟頂辺部と多孔体との間、および多孔体と棟包み部材との間にそれぞれ設けられ、棟頂辺部と多孔体との間に設けられる下水切りは、多孔体よりもさらに棟内頂部側へと延設されるとともに、その延設先端側には、上方へ屈曲されて多孔体の各孔の連通方向からみた投影面と同じ大きさに形成されるとともに、棟包み部材との間に間隙を形成する返し部が形成され、多孔体と棟包み部材との間に設けられる上水切りは、棟内頂部側へと延設されるとともに、その延設先端側には、棟外から多孔体を通って棟内へと浸入した雨水飛沫を止めて上記下水切り上へと滴下させる１つの返し部が、下水切りの返し部よりも多孔体に近い位置に形成されてなるものである。
【手続補正３】
【補正対象書類名】明細書
【補正対象項目名】００１２
【補正方法】変更
【補正の内容】
【００１２】
また、多孔体の各孔は、長い筒状となされているので、この孔に沿った流れで棟外から棟内へと通気することとなるが、下水切りには、多孔体の各孔の連通方向からみた投影面と同じ大きさに形成されるとともに、棟包み部材との間に間隙を形成する返し部を形成しているので、強風を伴う雨水の浸入をこの返し部で止めることができる。また、この下水切りの返し部で不十分であったとしても、多孔体と棟包み部材との間に設けられる上水切りには、下水切りの返し部よりも多孔体に近い位置に、棟外から多孔体を通って棟内へと浸入した雨水飛沫を止めて上記下水切り上へと滴下させる１つの返し部を形成しているので、この上水切りの返し部との併用によって、充分な通気性を維持しつつ、確実に雨水の浸入を防止することができる。